(57)【要約】【課題】陳列室の前面と後面が開口し、後面を扉で閉塞したオープンショーケースにおいて円滑に冷気を循環して冷却する。【解決手段】陳列室６の底面を構成するデッキパン８と、このデッキパンと断熱壁の底壁２間に構成された冷却室９と、この冷却室内に設置された冷却器１１及び下部送風機１２と、扉７の前側下部に構成され、冷却室の後端に連通した下部冷気吐出口１３と、陳列室の上部に構成され、上部送風機２２が収納された上部送風機室２１と、この上部送風機室に連通し、下部冷気吐出口の上方に対応して扉の前側上部に構成された上部冷気吸込口２３と、上部送風機室に連通して構成され、陳列室の前面開口上部にて開口する上部冷気吐出口２４と、冷却室の前端に連通し、陳列室の前面開口下部にて開口する下部冷気吸込口１８を備える。【選択図】図１
2005245892.tif 000002
【特許請求の範囲】
【請求項１】
断熱壁内に前面と後面が開口する陳列室を構成し、後面の開口を扉にて開閉自在に閉塞して成るオープンショーケースにおいて、
前記陳列室の底面を構成するデッキパンと、
該デッキパンと前記断熱壁の底壁間に構成された冷却室と、
該冷却室内に設置された冷却器及び下部送風機と、
前記扉の前側下部に構成され、前記冷却室の後端に連通した下部冷気吐出口と、
前記陳列室の上部に構成され、上部送風機が収納された上部送風機室と、
該上部送風機室に連通し、前記下部冷気吐出口の上方に対応して前記扉の前側上部に構成された上部冷気吸込口と、
前記上部送風機室に連通して構成され、前記陳列室の前面開口上部にて開口する上部冷気吐出口と、
前記冷却室の前端に連通し、前記陳列室の前面開口下部にて開口する下部冷気吸込口とを備えたことを特徴とするオープンショーケース。
【請求項２】
前記下部冷気吐出口を覆うカバーを備え、該カバーには、冷気を前記扉の前側に向けて上方に吹き出す第１の吹出部と、該第１の吹出部の前側に構成され、冷気を斜め前上方に向けて吹き出す第２の吹出部を形成したことを特徴とする請求項１のオープンショーケース。
【請求項３】
前記デッキパンは後縁から起立する縦壁を備え、該縦壁は前記カバーの前端より少許上方に突出することを特徴とする請求項２のオープンショーケース。
【発明の詳細な説明】
【技術分野】
【０００１】
本発明は、断熱壁内に前面と後面が開口する陳列室を構成し、後面の開口を扉で開閉自在に閉塞したオープンショーケースに関するものである。
【背景技術】
【０００２】
従来よりスーパーマーケットなどの店舗には、所謂対面型と称されるショーケースが設置されている。この対面型のショーケースは、断熱壁内に構成した陳列室の前面がガラスで覆われ、後面は開口して扉にて開閉自在に閉塞された構成とされている（例えば、特許文献１参照）。そして、陳列室内に惣菜等の商品を冷蔵しながら陳列すると共に、顧客からの注文に応じて販売員が後面の扉を開き、惣菜等の商品を後面の開口から取り出して提供するものであった。
【特許文献１】特開平７−１４６０４７号公報
【発明の開示】
【発明が解決しようとする課題】
【０００３】
ここで、このような対面型のショーケースを前面も開口するオープンショーケースとした場合、顧客による商品の取り出し易さを考慮すると陳列室の天面となる断熱壁の天壁を底壁よりも大きく後退させ、前面を斜め上前方に開口させることになる。そのような構造となると、前記公報の如く陳列室の上部に冷却器を設置できなくなり、陳列室の下方に設置することになるが、後面には扉があるため、冷却器からの冷気をどのように陳列室内に吐出して循環させるかが問題となる。
【０００４】
本発明は、係る従来の技術的課題を解決するために成されたものであり、陳列室の前面と後面が開口し、後面を扉で閉塞したオープンショーケースにおいて、冷却器を陳列室下方に設置した場合にも円滑に冷気を循環して冷却することを目的とする。
【課題を解決するための手段】
【０００５】
本発明のオープンショーケースは、断熱壁内に前面と後面が開口する陳列室を構成し、後面の開口を扉にて開閉自在に閉塞して成るものであって、陳列室の底面を構成するデッキパンと、このデッキパンと断熱壁の底壁間に構成された冷却室と、この冷却室内に設置された冷却器及び下部送風機と、扉の前側下部に構成され、冷却室の後端に連通した下部冷気吐出口と、陳列室の上部に構成され、上部送風機が収納された上部送風機室と、この上部送風機室に連通し、下部冷気吐出口の上方に対応して扉の前側上部に構成された上部冷気吸込口と、上部送風機室に連通して構成され、陳列室の前面開口上部にて開口する上部冷気吐出口と、冷却室の前端に連通し、陳列室の前面開口下部にて開口する下部冷気吸込口とを備えたことを特徴とする。
【０００６】
請求項２の発明のオープンショーケースは、上記において下部冷気吐出口を覆うカバーを備え、このカバーには、冷気を扉の前側に向けて上方に吹き出す第１の吹出部と、該第１の吹出部の前側に構成され、冷気を斜め前上方に向けて吹き出す第２の吹出部を形成したことを特徴とする。
【０００７】
請求項３の発明のオープンショーケースは、上記においてデッキパンは後縁から起立する縦壁を備え、この縦壁はカバーの前端より少許上方に突出することを特徴とする。
【発明の効果】
【０００８】
本発明では、断熱壁内に前面と後面が開口する陳列室を構成し、後面の開口を扉にて開閉自在に閉塞して成るオープンショーケースにおいて、陳列室の底面を構成するデッキパンと、このデッキパンと断熱壁の底壁間に構成された冷却室と、この冷却室内に設置された冷却器及び下部送風機と、扉の前側下部に構成され、冷却室の後端に連通した下部冷気吐出口と、陳列室の上部に構成され、上部送風機が収納された上部送風機室と、この上部送風機室に連通し、下部冷気吐出口の上方に対応して扉の前側上部に構成された上部冷気吸込口と、上部送風機室に連通して構成され、陳列室の前面開口上部にて開口する上部冷気吐出口と、冷却室の前端に連通し、陳列室の前面開口下部にて開口する下部冷気吸込口とを備えているので、デッキパンと断熱壁底壁間の冷却室内に設置された冷却器と熱交換した冷気を下部送風機により下部冷気吐出口から吐出し、上部送風機によって上部冷気吸込口からこの吐出された冷気を、閉じられた状態の扉の前面に沿って吸い上げ、上部冷気吐出口より陳列室の前面開口上部から吐出し、下部冷気吸込口より吸引する冷気循環を形成することができるようになる。
【０００９】
これにより、前面と後面が開口し、且つ、後面を扉にて開閉自在に閉塞したオープンショーケースにおいて、冷却器を陳列室の下方に設置した場合にも、陳列室内に円滑に冷気を循環させて冷却することができるようになる。
【００１０】
また、請求項２の発明の如く下部冷気吐出口を覆うカバーに、冷気を扉の前側に向けて上方に吹き出す第１の吹出部と、該第１の吹出部の前側に構成され、斜め前上方に向けて冷気を吹き出す第２の吹出部を形成すれば、一部の冷気を後下部からも陳列室内に吐出することができるようになり、陳列室内の冷却効果が向上する。
【００１１】
更に、請求項３の発明の如くデッキパンの後縁から起立する縦壁を構成し、この縦壁がカバーの前端より少許上方に突出するようにすれば、デッキパン上に陳列された商品がカバー前部に乗り上げた場合にも、縦壁によって第２の吹出部と商品間には隙間が構成されるので、第２の吹出部からの冷気の吐出が完全に塞がれてしまう不都合も防止できる。
【発明を実施するための最良の形態】
【００１２】
以下、図面に基づき本発明の実施形態を詳述する。図１は本発明の実施例のオープンショーケース１の縦断側面図、図２は図１の円Ａ部分の拡大図をそれぞれ示している。
【００１３】
実施例のオープンショーケース１は、スーパーマーケット等の店舗において例えば惣菜等の商品Ｇを冷却しながら陳列販売するオープンタイプの所謂対面型ショーケースである。オープンショーケース１は、底壁２と、この底壁２の上方に左右のアングル５を介して取り付けられた天壁３とから成る断熱壁４内に前面と後面が開口した陳列室６を構成しており、後面の開口は引き戸式の扉７によって開閉自在に閉塞されている。尚、断熱壁４の左右には図示しない側板が取り付けられる。
【００１４】
天壁３は底壁２よりも比較的大きく後退しており、それによって、陳列室６の前面の開口は斜め前上方に開放し、顧客による商品Ｇの取り出し易さを向上させている。底壁２の上側には陳列室６の底面となるデッキパン８が取り付けられ、このデッキパン８と底壁２間に冷却室９が構成される。この冷却室９内には陳列室６の下方に位置して冷却装置の冷媒回路を構成する冷却器１１と下部送風機１２が設置される。
【００１５】
デッキパン８の後側には扉７の直前下部に位置して下部冷気吐出口１３が形成され、冷却室９内後端部に連通している。この下部冷気吐出口１３は図２に示す如きカバー１４にて覆われている。このカバー１４には、後部の水平面１４Ａに上方に開口するスリット（第１の吹出部）１６Ａが形成されると共に、水平面１４Ａの前側で前方に低くなるように斜めに形成された傾斜面１４Ｂに斜め前上方に開口したスリット１６Ｂが形成されている。デッキパン８の後縁には上方に略直角に起立する縦壁８Ａが形成されており、この縦壁８Ａはカバー１４の前端に接して傾斜面１４Ｂの前下端より少許上方に突出している（図２）。
【００１６】
また、陳列室６の前面の開口の下縁部には下部冷気吸込口１８が形成され、この下部冷気吸込口１８は冷却室９内前端部に連通している。尚、この下部冷気吸込口１８の前側には透明ガラス製のガード１９が起立して取り付けられている。
【００１７】
一方、天壁３内には上部送風機室２１が構成され、この上部送風機室２１内には上部送風機２２が設置されている。また、扉７の直前上部には下部冷気吐出口１３の上方に対応する位置に上部冷気吸込口２３が形成され、上部送風機室２１の後端に連通している。また、陳列室６の前面開口上部には上部冷気吐出口２４が形成されており、この上部冷気吐出口２４は上部送風機室２１の前端に連通している。
【００１８】
尚、２６は天壁３より前方に突出し、斜め下方に屈曲された透明ガラス製の庇であり、２７はアングル５の支柱に架設された棚である。この庇２６と棚２７は何れも陳列室６の前後方向の略中間部まで突出している。
【００１９】
以上の構成で、動作を説明する。今、扉７は閉じられているものとする。また、商品Ｇはデッキパン８上及び棚２７上に陳列される。その状態で、底壁２下方に構成された機械室３１内に設置された冷却装置の図示しない圧縮機及び前記送風機１２、２２が運転されると、冷却器１１が冷却作用を発揮する。この冷却器１１と熱交換した冷気は下部送風機１２で加速されて下部冷気吐出口１３から上方に吐出される。この場合、下部冷気吐出口１３から吐出される冷気は、カバー１４のスリット１６Ａ、１６Ｂによって吹き分けられる。即ち、スリット１６Ａからは扉７の前側に向けて上方に冷気が吹き出される。一方、スリット１６Ｂからは斜め前上方に向けて棚２７下側の陳列室６内に冷気が吹き出される（図２に矢印で示す）。
【００２０】
スリット１６Ｂから斜め前上方に吹き出された冷気は棚２７下側の陳列室６内を循環して下部冷気吸込口１８から冷却室９に帰還する循環を繰り返す。一方、スリット１６Ａから吹き出された冷気は、上部送風機２２によって吸い上げられ、扉７の前面に沿って上昇する。そして、上部冷気吸込口２３から上部送風機２２に吸引され、加速されて上部冷気吐出口２４から陳列室６の前面開口に向けて吐出される。そして、この吐出された冷気は下部冷気吸込口１８から冷却室９に帰還する循環を繰り返し、これによって、前面の開口に冷気エアーカーテンを構成する。
【００２１】
尚、上部冷気吸込口２３から漏れた冷気は棚２７上を循環して下部冷気吸込口１８に向かうことになる。このような冷気循環により陳列室６内の棚２８上下の空間は満遍なく略均一に冷気が循環され、良好に冷却されることになる。また、販売員が商品Ｇを取り出す場合には、扉７を開いて取り出すことになる。その際には、下部冷気吐出口１３から吐出された冷気は一部後面の開口から漏洩することになるが、短時間であれば問題はない。
【００２２】
このように、本発明によれば前面と後面が開口し、且つ、後面を扉７にて開閉自在に閉塞したオープンショーケース１において、冷却器１１を陳列室６の下方に設置した場合にも、陳列室６内に円滑に冷気を循環させて冷却することができるようになる。
【００２３】
また、下部冷気吐出口１３を覆うカバー１４に、冷気を扉７の前側に向けて上方に吹き出すスリット１６Ａと、このスリット１６Ａの前側にて斜め前上方に向けて冷気を吹き出すスリット１６Ｂを形成しているので、一部の冷気を後下部からも陳列室６内に吐出することができるようになり、陳列室６内の冷却効果が向上する。
【００２４】
この場合、デッキパン８の後縁には縦壁８Ａを構成し、この縦壁８Ａはカバー１４の前端より少許上方に突出するしているので、図３の如くデッキパン８上に陳列された商品Ｇがカバー１４の前部に乗り上げた場合にも、縦壁８Ａによって当該商品Ｇは持ち上げられることになるので、スリット１６Ｂと商品Ｇ間には隙間が構成される。従って、係る場合にもスリット１６Ｂからの冷気の吐出が完全に塞がれてしまう不都合が防止される。
【図面の簡単な説明】
【００２５】
【図１】本発明の実施例のオープンショーケースの断面図である。
【図２】図１の円Ａ部分の拡大図である。
【図３】図２の下部冷気吐出口のカバーに商品が乗り上げた状態を示す図である。
【符号の説明】
【００２６】
１  オープンショーケース
２  底壁
３  天壁
４  断熱壁
６  陳列室
７  扉
９  冷却室
１１  冷却器
１２  下部送風機
１３  下部冷気吐出口
１４  カバー
１６Ａ、１６Ｂ  スリット（第１、第２の吹出部）
１８  下部冷気吸込口
２１  上部送風機室
２２  上部送風機
２３  上部冷気吸込口
２４  上部冷気吐出口
【図１】
2005245892.tif 000003
【図２】
2005245892.tif 000004
【図３】
2005245892.tif 000005